(57)【特許請求の範囲】
【請求項１】
断面形状略コ字状の断熱壁と、前記断熱壁の側面に取り付けられる側板と、前記断熱壁内に形成され前面開口を有する陳列室と、前記前面開口を開閉する扉を有する扉ユニットと、備えてなるショーケースにおいて、
前記扉ユニットの前記扉の下部を保持するとともに前記扉に付着した結露水を受ける下部扉保持部材と、前記扉を開閉自在に支持する下部ヒンジ部材と、を備え、
前記下部ヒンジ部材は、前記前面開口の下端に設けられた下フレームに支持され、
前記下部ヒンジ部材は、結露水を前記下フレームに案内する案内溝を備え、
前記案内溝は、前記扉が全閉した状態および前記扉が全開した状態において、前記案内溝による結露水が、前記下フレームの上方に流れる位置に形成されていることを特徴とするショーケース。
【請求項２】
前記下部扉保持部材の内側には、結露水を前記下部ヒンジ部材に案内する傾斜面を備えた水ガイド板が設けられていることを特徴とする請求項１に記載のショーケース。
【請求項３】
前記下フレームの庫内側に、結露水をドレンパンに送る庫内側スリットを設け、前記下フレームは、結露水を前記庫内側スリットに案内する傾斜面を備えていることを特徴とする請求項１または請求項２に記載のショーケース。
【請求項４】
前記下フレームの庫外側に、結露水をドレンパンに送る庫外側スリットを設け、前記下フレームは、結露水を前記庫外側スリットに案内する傾斜面を備えていることを特徴とする請求項１から請求項３のいずれか一項に記載のショーケース。
【発明の詳細な説明】
【技術分野】
【０００１】
本発明は、前面が開口する陳列室内に商品を陳列するショーケースであって、特に、前面開口に冷気のエアカーテンと常温空気のエアカーテンとを形成するショーケースに関する。
【背景技術】
【０００２】
従来から、コンビニエンスストアやスーパーマーケットなどに設置されるオープンショーケースは、断面略コ字状の断熱壁と、この断熱壁の側面に取り付けられる側板とから構成されており、断熱壁内を仕切板にて仕切ることにより、ダクトと前面が開口する陳列室とを形成している。そして、陳列室には商品を陳列する棚を架設するとともに、ダクト内には蒸発器を配置し、この蒸発器により冷却された冷気を前面開口上縁の冷気吐出口から吐出し、前面開口下縁の冷気吸込口から吸い込むことで、開口に冷気によるエアカーテンを形成していた（例えば、特許文献１参照）。
【０００３】
また、冷気吐出口より前側に外層吐出口を形成し、この外層吐出口から空気を吐出して冷気エアカーテンの前側に保護用のエアカーテンを形成するものもあった。
【先行技術文献】
【特許文献】
【０００４】
【特許文献１】特開２０１２−１６１３４５号公報
【発明の概要】
【発明が解決しようとする課題】
【０００５】
このようなオープンショーケースでは、陳列室の前面が開口しているために顧客による商品の取り出しが容易であり、商品販売上の効果が極めて高いものであるが、陳列室からの冷気漏洩が著しいという問題がある。これを防止するために、前面開口には冷気によるエアカーテンを形成しているが、冷気の漏洩と外気の侵入は避けがたく、冷却効果の低下を招くとともに、消費電力の増加を招いてしまうという問題があった。
【０００６】
そこで、前記特許文献１ではオープンショーケースの前面開口に扉を取り付け可能な構成としていた。扉を取り付けて開口を開閉自在とすることで、冷気の漏洩や外気の侵入を防止若しくは低減することができる。
しかしながら、扉を取り付けた場合には、庫内と庫外との温度差から、扉に結露が発生するという問題がある。そのため、扉に結露が付着した状態で、扉を開いた場合、結露水が扉から床などに落下してしまい、結露水により汚れが発生したり、顧客が滑ってしまうおそれがあるという問題を有している。
【０００７】
本発明は前記した点に鑑みてなされたものであり、扉に付着した結露水の床などへの落下を防止することができ、結露水を内部に回収することのできるショーケースを提供することを目的とする。
【課題を解決するための手段】
【０００８】
前記目的を達成するため、本発明は、断面形状略コ字状の断熱壁と、前記断熱壁の側面に取り付けられる側板と、前記断熱壁内に形成され前面開口を有する陳列室と、前記前面開口を開閉する扉を有する扉ユニットと、備えてなるショーケースにおいて、前記扉ユニットの前記扉の下部を保持するとともに前記扉に付着した結露水を受ける下部扉保持部材と、前記扉を開閉自在に支持する下部ヒンジ部材と、を備え、前記下部ヒンジ部材は、前記前面開口の下端に設けられた下フレームに支持され、前記下部ヒンジ部材は、結露水を下フレームに案内する案内溝を備え、前記案内溝は、前記扉が全閉した状態および前記扉が全開した状態において、前記案内溝による結露水が、前記下フレームの上方に流れる位置に形成されていることを特徴とする。
【０００９】
また、前記構成において、前記下部扉保持部材の内側には、結露水を前記下部ヒンジ部材に案内する傾斜面を備えた水ガイド板が設けられていることを特徴とする。
【００１０】
また、前記構成において、前記下フレームの庫内側に、結露水をドレンパンに送る庫内側スリットを設け、前記下フレームは、結露水を前記庫内側スリットに案内する傾斜面を備えていることを特徴とする。
【００１１】
また、前記構成において、前記下フレームの庫外側に、結露水をドレンパンに送る庫外側スリットを設け、前記下フレームは、結露水を前記庫外側スリットに案内する傾斜面を備えていることを特徴とする。
【発明の効果】
【００１３】
本発明によれば、下部ヒンジ部材の案内溝により、扉保持部材で受けた結露水を下フレームに案内するようにしているので、扉に結露が付着した状態で、扉を開いた場合でも、結露水が扉から床などに落下してしまうことを確実に防止することができ、下フレームに落下した結露水を機械室のドレンパンに回収することができる。
【図面の簡単な説明】
【００１４】
【図１】本発明に係るショーケースの実施形態を示す正面図である。
【図２】本実施形態の側面断面図である。
【図３】本実施形態の上部前方の拡大断面図である。
【図４】扉を開いた状態で上方から見た場合の斜視図である。
【図５】扉を開いた状態で扉の下方を示す斜視図である。
【図６】下部ヒンジ部材および下部扉保持部材を示す一部の斜視図である。
【図７】下部ヒンジ部材の斜視図部ある。
【図８】扉、下部ヒンジ部材および下部扉保持部材の分解斜視図である。
【図９】下部扉保持部材および下部ヒンジ部材による結露水の流れを示す説明図である。
【図１０】下部ヒンジ部材および下フレームによる結露水の流れを示す説明図である。
【図１１】扉下方における冷気の流れを示す説明図である。
【発明を実施するための形態】
【００１５】
以下、本発明の実施の形態について、図面を参照して説明する。
図１は本発明に係るショーケースの実施形態を示す正面図である。図２は本実施形態のショーケースの側面断面図、図３は本実施形態のショーケースの上部前方の拡大断面図である。
本実施形態のショーケース１は、コンビニエンスストアやスーパーマーケットなどの店舗内に据え付けられる。
【００１６】
図１に示すように、ショーケース１は、前面が開口し上面、背面および下面を覆う断面形状略コ字状の断熱壁１０と、据え付け現場において断熱壁１０の外面側に取り付けられる断熱性の側板１１とから構成されている。断熱壁１０の内側には、断熱壁１０に対して所定の間隙を有するように内側パネル１２が設けられている。
内側パネル１２の下端には、前面開口１３に向かって延在する底板１４が一体に取り付けられており、これら内側パネル１２および底板１４の内側は、前面開口１３を有する陳列室１５とされている。
内側パネル１２および底板１４と断熱壁１０との間の空間は、冷気用ダクト１８とされている。
【００１７】
また、陳列室１５の内部には、陳列室１５の背面側に位置する内側パネル１２の前面側に設けられる図示しない支柱に着脱自在に取付けられる一対のブラケット２０と、このブラケット２０に指示された棚板２１とが複数段設置されている。そして、棚板２１の上面に、商品が陳列される構成とされている。
また、棚板２１は、前方に引き出し自在とされており、棚板２１の上面に商品を補充する際には、陳列室１５の前面開口１３より前方に引き出して作業を行うことができるように構成されている。
【００１８】
また、内側パネル１２の上部前端部分には、キャノピー２３が前面開口１３の全幅にわたって取り付けられており、キャノピー２３の内側には、陳列室１５の内部を照明する照明灯２４が取付けられている。
キャノピー２３の前側には、陳列室１５の前面開口１３の上方を被覆する上パネル２５が取り付けられており、この上パネル２５には陳列室１５の内部温度を表示するための温度計２６が取り付けられている。
【００１９】
また、キャノピー２３の前端であって照明灯２４より後方側には、冷気用ダクト１８に連通し、冷気用ダクト１８の内部の冷気を陳列室１５に吹き出す冷気吐出口３０が形成されている。また、底板１４の前端部には、冷気用ダクト１８に連通する冷気吸込口３１が形成されている。
また、内側パネル１２の背面側における冷気用ダクト１８の内部には、冷却装置の蒸発器３２が配設されており、蒸発器３２の上方における冷気用ダクト１８の内部には、冷気用送風機３３が設置されている。
【００２０】
また、断熱壁１０の上面には、常温空気用ダクト１９が形成されている。常温空気用ダクト１９は、後述する扉の前面側には、常温空気用ダクト１９に連通する常温空気吐出口３４が形成されている。常温空気用ダクト１９の後方には、常温空気吸込口３５が形成されており、常温空気用ダクト１９の内部には、常温空気用送風機３６が設置されている。
また、本実施形態においては、常温空気吐出口３４部分には、常温空気吐出口３４から吐出される常温空気を扉の表面に案内する送風ガイド３７が設けられている。
【００２１】
そして、冷気用送風機３３を駆動することにより、蒸発器３２と熱交換した冷気が冷気用ダクト１８の内部を上昇し、冷気吐出口３０から前面開口１３に向けて吐出される。前面開口１３に吐出された冷気は、冷気吸込口３１から冷気用ダクト１８の内部に吸い込まれ、これにより、前面開口１３には冷気によるエアカーテンが形成されるとともに、この冷気のエアカーテンの一部が陳列室１５の内部に循環される。
なお、内側パネル１２には、図示しない冷気吹出口が形成されており、冷気のエアカーテンの一部とこれら冷気吹出口から吹き出される冷気によって陳列室１５の内部は所定温度に冷却される。
【００２２】
一方、常温空気用送風機３６を駆動することにより、常温空気用ダクト１９の内部の空気が常温空気用ダクト１９を通って、常温空気吐出口３４から吐出される。そして、常温空気吐出口３４から吐出された常温空気は、送風ガイド３７により案内されて扉４２の表面に向けて吹き付けられる。
これにより、扉ユニット４０の陳列室１５側に、冷気吐出口３０および冷気吸込口３１による冷気のエアカーテンが形成されることになり、扉ユニット４０の外側に、常温空気吐出口３４および常温空気吸込口３５による常温空気のエアカーテンが形成されることになる。
【００２３】
また、前面開口１３の上端には、上端に沿って延在する上フレーム４５が取り付けられており、前面開口１３の下端には、下端に沿って在する下フレーム４６が取り付けられている。
【００２４】
また、本実施形態においては、図１および図２に示すように、ショーケース１の前面開口１３には、扉ユニット４０が取り付けられている。
扉ユニット４０は、透明な板ガラスからなる左右にそれぞれ一対の扉４２、４２と、これら各扉４２を開閉自在に支持するヒンジ機構４３と、上フレーム４５と扉４２とを連結するステー４４とから構成されている。
【００２５】
扉４２は、扉４２を回動自在に支持するヒンジ機構４３により、上フレーム４５および下フレーム４６に取り付けられている。扉４２は、正面視で略長方形状のガラス板で構成されている。
本実施形態においては、各扉４２は、前面開口１３の両側部分における上下端縁および前面開口１３の中央部分における上下端縁にそれぞれヒンジ機構４３が取り付けられており、これにより、各扉４２は、陳列室１５の左右のそれぞれ一対の扉４２は、両側に開く両開き式の扉４２とされている。
また、扉４２の中央部分には、取っ手４８が取り付けられている。
なお、扉４２として、透明なガラス板の他、例えば、アクリル板など、他の素材を用いることも可能である。
【００２６】
図４は、扉４２を開いた状態で上方から見た場合の斜視図である。図４に示すように、ヒンジ機構４３は、断面形状略Ｕ字状を有し、扉４２の上下端を挟んで支持する上部扉保持部材５０および下部扉保持部材５１をそれぞれ備えている。上部扉保持部材５０および下部扉保持部材５１は、例えば、金属などから構成されている。
上部扉保持部材５０の基部には、上フレーム４５に形成された図示しない支持孔に係合される支持軸５３が一体に設けられている。そして、支持部５２により扉４２を支持した状態で、支持軸５３を中心として回動自在とされている。
【００２７】
次に、上部のヒンジ機構について詳細に説明する。
図４に示すように、上フレーム４５の下面と扉保持部材５０の上面との間には、ステー４４が連結されている。
ステー４４は、一端部が上フレーム４５に連結され内部が中空とされた長尺のステー枠６０と、一端部が扉保持部材５０に連結され、他端部がステー枠６０の内側に摺動自在に挿入される長尺のステー可動部材６１と、から構成されている。
ステー枠６０のステー可動部材６１の挿入端には、ステー枠６０の上方から、ストッパ機構６２が取り付けられている。ストッパ機構６２は、ステー枠６０の内側に向けてばね付勢された図示しないストッパを備えている。
【００２８】
ステー可動部材６１の幅方向の中央部には、ステー可動部材６１の長さ方向に延在しストッパが係合される摺動溝６３が形成されている。
また、ステー可動部材６１の摺動溝６３の長手方向の延長上には、ストッパが係合する図示しないストッパ保持部が形成されている。このストッパ保持部は、本実施形態においては、例えば、扉４２が７５度の角度に開いた状態でストッパが係合する位置および扉４２が９０度の角度に開いた状態でストッパが係合する位置にそれぞれ形成されている。
【００２９】
このように構成することで、扉４２が閉じた状態から扉４２を開くと、ストッパがステー可動部材６１の摺動溝６３に係合しながら、ステー可動部材６１は、ステー枠６０の内側で摺動自在とされるので、ストッパが摺動溝６３の端部に至るまでは、扉４２は抵抗なく開くことができる。
ストッパが摺動溝６３の端部まで移動した状態で、扉４２をさらに開くと、ストッパが摺動溝６３を乗り越えてストッパ保持部に係合する。この状態で、扉４２は、７５度に開いた状態で保持される。そして、扉４２をさらに開くと、ストッパがストッパ保持部を乗り越えて、隣接するストッパ保持部に係合する。この状態で、扉４２は、９０度に開いた状態で保持される。
【００３０】
なお、本実施形態においては、ストッパ保持部として、扉４２を７５度および９０度に開いた状態に保持する位置に設けるようにしたが、ストッパ保持部の形成位置および形成数は、必要に応じて任意に設定することができるものである。
【００３１】
また、ステー可動部材６１の先端部には、所定以上の圧力がかかるとこの連結を解除する連結解除機構６４が設けられている。連結解除機構６４は、扉保持部材５０に取付けられ内部が中空とされたステー連結部材６５を備えており、ステー連結部材６５は、扉保持部材５０の上面に連結部材を貫通するピン６６を介して固定されている。
ステー可動部材６１の先端には、ピン６６の両側に位置するように二股状に分かれた一対の連結片６７が形成されており、これら各連結片６７の先端部における互いに対向する面には、内側に突出するツメ６８がそれぞれ形成されている。
【００３２】
そして、通常状態では、ステー連結部材６５とステー可動部材６１とは、連結片６７のツメ６８によりピン６６に係合することで、互いに連結された状態に保持されている。
そして、扉４２が９０度の角度で開けられている状態からさらに開く方向に力が加わった場合に、連結片６７のツメ６８とピン６６との係合が解除され、これにより、ステー可動部材６１とステー連結部材６５との連結が解除されるものである。
【００３３】
次に、下部のヒンジ機構４３について詳細に説明する。
図５は、扉を開いた状態で扉の下方を示す斜視図である。図６は、下部ヒンジ部材および下部扉保持部材を示す一部の斜視図である。図７は、下部ヒンジ部材の斜視図部ある。図８は、扉、下部ヒンジ部材および下部扉保持部材の分解斜視図である。図９は、下部扉保持部材および下部ヒンジ部材による結露水の流れを示す説明図である。図１０は、下部ヒンジ部材および下フレームによる結露水の流れを示す説明図である。図１１は、扉下方における冷気の流れを示す説明図である。
【００３４】
図５および図６に示すように、下部のヒンジ機構４３は、下部ヒンジ部材７０を備えている。
下部ヒンジ部材７０は、図７に示すように、下部ヒンジ部７１と、下部扉支持部７２とを備えている。下部ヒンジ部７１は、略円柱状に形成されており、下部ヒンジ部７１の下面には、下フレーム４６に形成された図示しない支持孔に係合される支持軸７３が一体に設けられている。
下部扉支持部７２は、下部ヒンジ部７１の周面から半径方向に延在する長尺状の板状に形成されている。下部ヒンジ部７１の上面と、下部扉支持部７２の上面とは、面一に形成されており、下部ヒンジ部７１の上面には、中央部分から外周に向かって低くなるように傾斜された案内溝７４が形成されている。案内溝７４の下部ヒンジ部７１の外周に位置する部分は、水落下部７５とされている。
【００３５】
この案内溝７４の形成方向は、扉４２が全閉した状態の角度と、全開した状態の角度の間である下部扉支持部７２の延長線に対して略４５°の角度に形成されている。
なお、案内溝７４は、これに限定されるものではない。例えば、扉４２が全閉した状態および扉４２が全閉した状態において、案内溝７４の水落下部７５が、常に、下フレーム４６の上方に位置すれば、いずれに位置に形成するようにしてもよいし、平面視で扇状に案内溝７４を形成するようにしてもよい。
【００３６】
また、図８に示すように、下部扉保持部材５１は、扉４２の表面および裏面から取り付けられる断面形状略Ｌ字状の一対の保持部材７６，７６を備えている。各保持部材７６は、扉４２に取り付けられた状態で、断面形状略Ｕ字状に形成されるようになっている。
下部扉保持部材５１の内側には、水ガイド板７７が設けられており、図９に示すように、この水ガイド板７７は、扉４２の先端側から下部ヒンジ部７１に向かって低くなるように傾斜された傾斜面７８を備えている。
また、各保持部材７６と扉４２の面との間には、間隙が形成されており、扉４２に付着した結露水は、保持部材７６と扉４２との間隙７９を介して落下し、水ガイド板７７の傾斜面７８により下部ヒンジ部７１の案内溝７４に向かって流れるように構成されている。
【００３７】
図１０に示すように、下フレーム４６の庫内側および庫外側には、結露水が落下するための庫内側スリット８０および庫外側スリット８１がそれぞれ形成されている。また、下フレーム４６の上面には、下部ヒンジ部７１の案内溝７４による結露水の落下位置から庫内側に向かって低くなるように傾斜面８２が形成されている。
そして、下部ヒンジ部７１の案内溝７４から下フレーム４６の上面に落下した結露水は、下フレーム４６の傾斜面８２により、庫内側スリット８０から落下して機械室に流れ込み、機械室の内部に設置された図示しないドレンパンに溜め込まれるように構成されている。また、下フレーム４６の上面に落下した結露水の一部は、庫外側スリット８１から落下し、下フレーム４６の下面側に形成された間隙８３を介して、同様に、機械室に流れ込み、ドレンパンに溜め込まれる。
なお、本実施形態においては、庫外側スリット８１を形成するようにしているが、少なくとも庫内側スリット８０を形成すれば、庫外側スリット８１を省略するようにしてもよい。
【００３８】
また、本実施形態においては、図５および図１１に示すように、下フレーム４６の扉４２の庫内側には、立ち上げ部材８５が設けられている。立ち上げ部材８５は、その上端縁が下部の下部扉保持部材５１より上方に位置するように形成されている。立ち上げ部材８５の扉４２側には、遮蔽部材としてのゴムなどの樹脂からなるパッキン８６が貼り付けられている。
本実施形態においては、扉４２が閉じた状態で、パッキン８６と扉４２とが当接するように構成されており、これにより、庫内の冷気が下部扉保持部材５１に流れることを防止するように構成されている。
【００３９】
次に、本実施形態の作用について説明する。
本実施形態においては、扉ユニット４０により前面開口１３を被覆するように構成されるので、陳列室１５の内部と外部とを完全に遮断することができ、陳列室１５の内部の温度を一定に保持することができ、冷却効率を高めることができる。
この場合に、本実施形態においては、扉ユニット４０の陳列室１５の内部側に、冷気吐出口３０が配置され、扉ユニット４０の外側に、常温空気吐出口３４が配置されている。また、同様に、扉ユニット４０の陳列室１５側に、冷気吸込口３１が配置され、扉ユニット４０の外側に、常温空気吸込口３５が配置されている。
そのため、扉ユニット４０の陳列室１５の内部側に、冷気吐出口３０および冷気吸込口３１による冷気のエアカーテンが形成されることになり、扉ユニット４０の外側に、常温空気吐出口３４および常温空気吸込口３５による常温空気によるエアカーテンが形成される。
【００４０】
一般に、扉４２を設置した場合、陳列室１５の内部には、前述のように冷気のエアカーテンが形成され、扉４２の内側面は、常に冷気にさらされている状態である。しかも、冷気吸込口３１から冷気を吸い込む構造であり、冷気は下方に溜まりやすいことから、扉４２の内側下方が最も冷えやすい傾向にある。
そのため、そのままの状態では、扉４２の外側面下方が外気と比較して低温となるので、結露しやすい状態となる。
【００４１】
しかしながら、本実施形態においては、立ち上げ部材８５を設けるとともに、立ち上げ部材８５にパッキン８６を設け、扉４２が閉じた状態で、庫内の冷気が、下部扉保持部材５１に到達しないようしているので、金属からなる下部扉保持部材５１が必要以上に冷却されてしまうことを防止することができる。
しかも、扉ユニット４０の外側に常温空気のエアカーテンを形成することができるので、扉４２の外側面に常温空気を常に当てることが可能となり、扉４２の外側面における結露を防止することができる。
【００４２】
前述のように結露の防止が可能であるが、万一、扉４２に結露が発生した場合には、結露水は、扉４２を伝わって下方に落ちていくが、下部扉保持部材５１により結露水を受けることができる。そのため、扉４２を開いた状態においても、下部扉保持部材５１により結露水を受けることができるので、扉４２が開いた際に、結露水が床など落下してしまうことを確実に防止することができる。
そして、下部扉保持部材５１により受けた結露水は、傾斜面７８に沿って下部ヒンジ部７１に向かって流れ、下部ヒンジ部７１の案内溝７４により下フレーム４６に落下される。下フレーム４６に落下した結露水は、庫内側スリット８０および庫外側スリット８１を介して機械室のドレンパンに貯留される。
【００４３】
以上述べたように、本実施形態においては、扉ユニット４０の扉４２の下部を保持するとともに扉４２に付着した結露水を受ける下部扉保持部材５１と、扉４２を開閉自在に支持する下部ヒンジ部材７０と、を備え、下部ヒンジ部材７０は、結露水を下フレーム４６に案内する案内溝７４を備えている。
これによれば、下部ヒンジ部材７０の案内溝７４により、下部扉保持部材５１で受けた結露水を下フレーム４６に案内するようにしているので、扉４２に結露が付着した状態で、扉４２を開いた場合でも、結露水が扉４２から床などに落下してしまうことを確実に防止することができ、下フレーム４６に落下した結露水を機械室のドレンパンに回収することができる。
【００４４】
また、本実施形態においては、下部扉保持部材５１の内側には、結露水を下部ヒンジ部材７０に案内する傾斜面７８を備えた水ガイド板７７が設けられている。
これによれば、下部扉保持部材５１の水ガイド板に傾斜面７８を形成しているので、扉４２から落下した結露水を下部扉保持部材５１および水ガイド板により受けるとともに、下部ヒンジ部材７０に案内することができる。
【００４５】
また、本実施形態においては、下フレーム４６の庫内側に、結露水をドレンパンに送る庫内側スリット８０を設け、下フレーム４６は、結露水を庫内側スリット８０に案内する傾斜面８２を備えている。
これによれば、下フレーム４６に結露水を庫内側スリット８０に案内する傾斜面８２を形成するようにしているので、傾斜面８２により、下フレーム４６に落下した結露水を庫内側スリット８０に案内することができる。
【００４６】
また、本実施形態においては、下フレーム４６の庫外側に、結露水をドレンパンに送る庫外側スリット８１を設け、下フレーム４６は、結露水を庫外側スリット８１に案内する傾斜面を備えている。
これによれば、下フレーム４６に結露水を庫外側スリット８１に案内する傾斜面を形成するようにしているので、傾斜面により、下フレーム４６に落下した結露水を庫外側スリット８１に案内することができる。
【００４７】
また、本実施形態においては、案内溝７４は、扉４２が全閉した状態および扉４２が全閉した状態において、案内溝７４による結露水が、下フレーム４６の上方に流れる位置に形成されている。
これによれば、案内溝７４により、結露水を確実に下フレーム４６に案内することができる。
【００４８】
なお、本発明は、前記実施形態に記載のものに限定されるものではなく、本発明の趣旨を逸脱しない範囲で種々変更および応用が可能である。
【符号の説明】
【００４９】
１  ショーケース
１０  断熱壁
１１  側板
１２  内側パネル
１３  前面開口
１４  底板
１５  陳列室
１８  冷気用ダクト
１９  常温空気用ダクト
２１  棚板
３０  冷気吐出口
３１  冷気吸込口
３３  冷気用送風機
３４  常温空気吐出口
３５  常温空気吸込口
３６  常温空気用送風機
３７  送風ガイド
４０  扉ユニット
４１  フレーム
４２  扉
４３  ヒンジ機構
４４  ステー
４５  上フレーム
４６  下フレーム
４７  縦フレーム
５０  上部扉保持部材
５１  下部扉保持部材
７０  下部ヒンジ部材
７１  下部ヒンジ部
７２  下部扉支持部
７４  案内溝
７７  水ガイド板
７８  傾斜面
８０  庫内側スリット
８１  庫外側スリット
８２  傾斜面
８５  立ち上げ部材
８６  パッキン
【図１】
0006678330.tif 000002
【図２】
0006678330.tif 000003
【図３】
0006678330.tif 000004
【図４】
0006678330.tif 000005
【図５】
0006678330.tif 000006
【図６】
0006678330.tif 000007
【図７】
0006678330.tif 000008
【図８】
0006678330.tif 000009
【図９】
0006678330.tif 000010
【図１０】
0006678330.tif 000011
【図１１】
0006678330.tif 000012